(57)【特許請求の範囲】
【請求項１】
中空箱状の載置台と、
前記載置台の前面に、左右方向に互いに離間させて設けた複数の電源コンセントと、
前後方向を向く左右１対の仕切板の下端同士を底板をもって連結することにより形成され、かつ前記載置台の上面に、前記複数の電源コンセントにそれぞれ対応するようにして、互いに離間させて左右方向に並べて設けることにより、両仕切板間に第１収容空間を、また互いに隣接するもの同士の間に第２収容空間を形成するようにした複数の仕切部材
とを備えることを特徴とする電子機器収容台。
【請求項２】
左右いずれか一方の仕切板を、他方の仕切板より低くした請求項１記載の電子機器収容台。
【請求項３】
各仕切部材における低い方の仕切板の奥行き寸法を、高い方の仕切板の奥行き寸法より小とした請求項２記載の電子機器収容台。
【請求項４】
各仕切部材における仕切板の後端を、載置台の後端より前方に位置させた請求項１〜３のいずれかに記載の電子機器収容台。
【請求項５】
各仕切部材を、載置台の上面に着脱可能として装着した請求項１〜４のいずれかに記載の電子機器収容台。
【請求項６】
各仕切部材における底板の後端に設けた下向き鉤形の係合片を、載置台の後端部に係合し、かつ前記底板の前部下面に設けた下向突片を、前記載置台の上面に設けた係合孔に嵌合することにより、各仕切部材を、載置台の上面に着脱可能とした請求項５記載の電子機器収容台。
【請求項７】
前面が開口する筐体としたキャビネット本体内に、複数の棚板を上下方向に離間させて架設し、前記棚板のいずれかに、請求項１〜６のいずれかに記載の電子機器収容台を載置したことを特徴とするキャビネット。
【請求項８】
載置台の前面が、棚板の前端より後方に位置するようにして、電子機器収容台を棚板上に載置した請求項７記載のキャビネット。
【発明の詳細な説明】
【技術分野】
【０００１】
本発明は、充電式のモバイル対応電子機器を収容するのに適する電子機器収容台およびそれを備えるキャビネットに関する。
【背景技術】
【０００２】
この種の収容台に関するものとしては、例えば特許文献１に記載されている棚装置のように、所定間隔を隔てて左右に対向配置した１対の側板と、１対の側板間に着脱自在、かつ高さ位置調節自在に配置した複数の主棚板と、主棚板上の奥側に段差をつけた補助棚板とを有し、補助棚板の前端から下向きに垂下する前板と主棚板の上面との間に配線隙間を設け、主棚板の上面と補助棚板の下面との間に複数の電源コンセント、およびＡＣアダプタ等の電気部品の収容空間を形成し、補助棚板上または主棚板上の前面に複数の充電式の電子機器を載置し、長い配線コードの大部分を、配線隙間を介して補助棚板の下方に配置したものが知られている。
【０００３】
また、特許文献２に記載されているノートパソコン用キャビネットのように、上記主棚板に相当する棚板を、箱体内の複数箇所に固定して複数の収容部を形成し、各収容部に収容した充電式の電子機器の電源プラグを、各棚板の手前側に設けた電源コンセントに接続することにより、充電中の電子機器の配線コードが他の電子機器の出入れの邪魔にならず、配線コードが絡まることを防止し、配線コードの抜き取りをスムーズに行うことができ、また電子機器を交換するとき、電源プラグの挿抜を容易にしたものもある。
【先行技術文献】
【特許文献】
【０００４】
【特許文献１】特開２００４−１３５９０４号公報
【特許文献２】特開２００６−２３９０３０号公報
【発明の概要】
【発明が解決しようとする課題】
【０００５】
上記特許文献１に記載されているものでは、充電中の電子機器の配線コードが他の電子機器の出入れの邪魔になり、他の電子機器の配線コードが絡まることもある。また、補助棚板上または主棚板上に載置する充電式の電子機器を交換するとき、補助棚板の下に配置している電源コンセントと新たな電子機器との結線を再構成する際、補助棚板の移動作業および電源プラグの挿抜作業に手間が掛かり、使い勝手が低下する。
【０００６】
このような配線コードの絡まりや、電子機器を交換する際の手間を軽減させるためには、上記特許文献２に示されているように、上記主棚板に相当する棚板を、箱体内の複数箇所に固定して複数の収容部を形成し、各収容部に収容した充電式の電子機器の電源プラグを、各棚板の手前側に設けた電源コンセントに接続し、各電子機器を個別に管理するのが好ましいが、このようにすると、各収容部には、１個の電子機器しか収容することができず、１枚の棚板に対して収容できる電子機器の数が制限され、収容効率が低下する。
【０００７】
本発明は、上記問題点に鑑みてなされたもので、構造が簡単で、電子機器の収容効率が高く、配線コードの絡まりを防止し、配線コードの抜き取りを円滑に行うことができ、電子機器を交換する手間を軽減させるようにした電子機器収容台およびそれを備えるキャビネットを提供することを目的としている。
【課題を解決するための手段】
【０００８】
本発明によると、上記課題は、次のようにして解決される。
(１)  電子機器収容台を、中空箱状の載置台と、前記載置台の前面に、左右方向に互いに離間させて設けた複数の電源コンセントと、前後方向を向く左右１対の仕切板の下端同士を底板をもって連結することにより形成され、かつ前記載置台の上面に、前記複数の電源コンセントにそれぞれ対応するようにして、互いに離間させて左右方向に並べて設けることにより、両仕切板間に第１収容空間を、また互いに隣接するもの同士の間に第２収容空間を形成するようにした複数の仕切部材とを備えるものとする。
【０００９】
このような構成とすると、第１収容空間に電子機器と、配線コードおよびＡＣアダプタと、のいずれか一方の物品を収容し、第２収容空間に他方の物品を収容し、電源プラグを、載置台の前面に設けた電源コンセントに差し込むことにより、複数の電子機器を効率よく充電しつつ収容することができ、複数の電子機器の配線コードの絡まりを防止し、第２収容空間から引き出した配線コードが、他の電子機器の出入れの邪魔にならず、電子機器を交換する手間を軽減させることができる。
また、長い配線コードの大部分を第２収容空間へ収容するので、収容台の見栄えを向上させることもできる。
【００１０】
(２)  上記(１)項において、左右いずれか一方の仕切板を、他方の仕切板より低くする。
【００１１】
このような構成とすると、配線コードは、低い方の仕切板の上で引き回すことができ、第１収容空間と第２収容空間との間で配線コードの引き回し作業を容易に行うことができ、第２収容空間に配線コードを整理して収容し、収容台の見栄えを向上させることができる。
【００１２】
(３)  上記(２)項において、各仕切部材における低い方の仕切板の奥行き寸法を、高い方の仕切板の奥行き寸法より小とする。
【００１３】
このような構成とすると、第１収容空間に収容した電子機器の配線コードを、第２収容空間へ引き出し易くなるだけでなく、第１収容空間への電子機器の出入れもし易くなり、さらに、配線コードの引き回しも楽になる。
【００１４】
(４)  上記(１)〜(３)項のいずれかにおいて、各仕切部材における仕切板の後端を、載置台の後端より前方に位置させる。
【００１５】
このような構成とすると、配線コードを、仕切板の後方で引き回すことができ、第１収容空間と第２収容空間との間で配線コードの引き回し作業を容易に行うことができ、第２収容空間に配線コードを整理して収容し、電子機器収容台の見栄えを向上させることができる。
【００１６】
(５)  上記(１)〜(４)項のいずれかにおいて、各仕切部材を、載置台の上面に着脱可能として装着する。
【００１７】
このような構成とすると、載置台上の一部または全部の仕切部材を取り外して、そこに、第１収容空間内に収容しきれない大型の電子機器や、電子機器以外のものを収容することができる。
【００１８】
(６)  上記(５)項において、各仕切部材における底板の後端に設けた下向き鉤形の係合片を、載置台の後端部に係合し、かつ前記底板の前部下面に設けた下向突片を、前記載置台の上面に設けた係合孔に嵌合することにより、各仕切部材を、載置台の上面に着脱可能とする。
【００１９】
このような構成とすると、底板の後端に設けた下向き鉤形の係合片を、載置台の後端部に係合し、かつ前記底板の前部下面に設けた下向突片を、前記載置台の上面に設けた係合孔に嵌合することにより、各仕切部材を、簡単かつ確実に載置台に着脱することができ、装着時には、各仕切部材は、載置台に対して前後左右に位置ずれすることはなく、電子機器が仕切板に寄りかかっても、仕切部材が倒れることはない。
【００２０】
(７)  キャビネットを、前面が開口する筐体としたキャビネット本体内に、複数の棚板を上下方向に離間させて架設し、前記棚板のいずれかに、請求項１〜６のいずれかに記載の電子機器収容台を載置したものとする。
【００２１】
このような構成とすると、キャビネット内に、多数の電子機器を、充電しつつ、整然と見栄えよく収容することができる。
【００２２】
(８)  上記(７)項において、載置台の前面が、棚板の前端より後方に位置するようにして、電子機器収容台を棚板上に載置する。
【００２３】
このような構成とすると、電源コンセントに差し込んだ電子機器の電源プラグが、キャビネット本体の前面から前方に突出しないようにすることができ、特に、キャビネット本体の前面に開閉扉を装着する場合は、その開閉扉に電源プラグやそれに接続された配線コード等が当接しないようにすることができる。
また、載置台より前方の棚板上に、細かな付属部品等を載置することもできる。
【発明の効果】
【００２４】
本発明によると、構造が簡単で、電子機器の収容効率が高く、配線コードの絡まりを防止し、配線コードの抜き取りを円滑に行うことができ、電子機器を交換する手間を軽減させるようにした電子機器収容台およびそれを備えるキャビネットを提供することができる。
【図面の簡単な説明】
【００２５】
【図１】本発明のキャビネットの一実施形態の正面図である。
【図２】図１のII−II線における拡大縦断側面図である。
【図３】図１のキャビネットの要部の斜視図である。
【図４】本発明の電子機器収容台の変形例を示す、図２と同様の縦断側面図である。
【発明を実施するための形態】
【００２６】
以下、本発明の一実施形態を、図面に基づいて説明する。
図１〜図４に示すように、このキャビネットＡは、前面が開口する筐体としたキャビネット本体１を備えている。キャビネット本体１は、天板２、底板３、左右の側板４、４、および後面板５からなり、左右の側板４、４間には、複数の棚板６が、互いに上下方向に離間するようにして架設されている。
【００２７】
各側板４の内側面の前部と後端よりやや前方の部分とには、上下方向を向く角管状の補強部４ａ、４ｂが設けられている。
前部の補強部４ａの後面と、後部の補強部４ｂの内側面とには、複数の係止孔７(補強部４ａの後面に設けたものは図示略)が、上下方向に並べて設けられている。
【００２８】
各補強部４ａ、４ｂにおける等高をなす係止孔７に、係止金具８をそれぞれ係止し、それらの上に棚板６を載置することにより、各棚板６は、左右の側板４、４間に架設されている。
【００２９】
後面板５の一側部前面には、前面が開口する上下方向を向く配線ダクト９が、後面板５の全長に亘って設けられており、配線ダクト９の前面には、複数の閉塞部材１０が、着脱自在に設けられている。この閉塞部材１０の所望のものを配線ダクト９から外すことにより、配線ダクト９の前面における開口の所望の部分を開くことができるようになっている。
【００３０】
各棚板６は、その後端が配線ダクト９の前面に装着した閉塞部材１０に当接し、後面板５よりやや前方に位置するようにして両側板４、４間に架設されている。
【００３１】
キャビネット本体１の前面には、図２に２点鎖線で示すように、両開き式の扉１１が開閉可能に装着されている(図１および図３においては扉１１を省略して示してある)。
【００３２】
図１に示す例では、最下段と下から２段目の棚板６上に、本発明の電子機器収容台の一実施形態が載置されている。
この電子機器収容台Ａは、横長の中空箱状の載置台１２と、この載置台１２の前面に、左右方向に互いに離間させて設けた複数の電源コンセント１３と、載置台１２の上面に、複数の電源コンセント１３にそれぞれ対応するようにして、互いに離間させて左右方向に並べて設けられた複数の仕切部材１４とを備えている。
【００３３】
各仕切部材１４は、前後方向を向く左右１対の仕切板１５、１６の下端同士を底板１７をもって連結することにより、正面視ほぼ上向きコ字状に形成されている。
各仕切部材１４における右方の仕切板１６は、左方の仕切板１５より高さを低く、かつ奥行き寸法を小としてある。また、仕切板１６の前端は、仕切板１５の前端より後方に位置するようにしてある。
【００３４】
各仕切部材１４は、底板１７の後端に設けた下向き鉤形の係合片１８を、載置台１２の後端上部に設けた左右方向に長い後向突条１２ａに係合し、かつ底板１７の前端に設けた下向突片１９を、載置台１２の上面前部に設けた係合孔２０に上方より嵌合することにより、載置台１２の上面における定位置に着脱可能として装着されている。
【００３５】
係合孔２０は、複数の電源コンセント１３にそれぞれ対応するようにして載置台１２の上面に設けてあり、各仕切部材１４は、下向突片１９を係合孔２０に嵌合することによって、載置台１２上の定位置に位置決めされるようになっている。
【００３６】
複数の仕切部材１４を、このように位置決めして載置台１２上に装着することにより、各仕切部材１４における両仕切板１５、１６間に第１収容空間２１が、また互いに隣接する仕切部材１４、１４間に第２収容空間２２が形成される。
【００３７】
図３に示すように、第１収容空間２１には、モバイルコンピュータ等の充電式の電子機器２３を、左右寸法が小さく、かつ上下寸法および奥行寸法が大きくなるようにして、縦置き状態で収容する。
【００３８】
第２収容空間２２には、ＡＣアダプタ２４とその配線コード２５、およびその他の付属部品等を収容する。
ＡＣアダプタ２４の配線コード２５の一端は、第１収容空間２１に収容した電子機器２３の充電口(図示略)にコネクタ(図示略)をもって接続し、かつ配線コード２５の他端は、電源プラグ２６をもって、直前の電源コンセント１３に接続する。電子機器２３の充電口は、後方、前方、または上方を向くようにして、電子機器２３を第１収容空間２１に収容するのが望ましい。
【００３９】
各仕切部材１４における右方の仕切板１６は、上記のように、左方の仕切板１５より高さを低く、かつ奥行き寸法を小としてあるので、第１収容空間２１に収容した電子機器２３に接続した配線コード２５を、第２収容空間２２へ引き出し易くなるだけでなく、低い方の仕切板１６の上方や前方で容易に引き回すことができ、第２収容空間２２に、配線コード２５や付属部品等を整理して収容することができ、収容台の見栄えを向上させることができる。
【００４０】
図２に示すように、載置台１２の内部には、複数の電源コンセント１３に分岐して接続した電源コード２７が収容されている。この電源コード２７は、載置台１２の後面から引き出されて、配線ダクト９内に引き込まれ、配線ダクト９を通って垂下し、キャビネット本体１の底部において、商用電源コンセント(図示略)に接続されている。
載置台１２内の電源コード２７の配線作業を行うため、載置台１２の底板１２ｂは、着脱可能なようにねじ止めしておくのが好ましい。
【００４１】
電子機器収容台Ｂを棚板６上に載置したとき、載置台１２の前面が、棚板６の前端より後方に位置するようにしておくのが好ましい。
こうすることによって、電源コンセント１３に差し込んだ電子機器２３の電源プラグ２６が、キャビネット本体１の前面から前方に突出しないようにすることができ、特に、キャビネット本体１の前面に扉１１を装着した場合は、その扉１１に電源プラグ２６やそれに接続された配線コード２５等が当接しないようにすることができる。
また、載置台１２より前方の棚板６上に、細かな付属部品等を載置することもできる。
【００４２】
この例では、仕切部材１４の前後寸法を、載置台１２の前後寸法よりも短く設定し、左右の仕切板１５、１６の後端と載置台１２の後端との前後位置がほぼ一致するようにしてあるが、図４に示す変形例のように、左右の仕切板１５、１６の後端を、載置台１９の後端よりも前方に位置するようにし、左右の仕切板１５、１６の後方に、配線用の空間２８を形成するようにしてもよい。
【００４３】
このようにすると、配線コード２５を、仕切板１５、１６の後方で引き回すことができ、第１収容空間２１と第２収容空間２２との間で配線コード２５の引き回し作業を容易に行うことができ、第２収容空間２２に配線コード２５を整理して収容し、電子機器収容台Ｂの見栄えを向上させることができる。
【００４４】
以上から明らかなように、この電子機器収容台Ｂによると、第１収容空間２１に電子機器２３を収容し、第２収容空間２２にＡＣアダプタ２４および配線コード２５を収容し、電源プラグ２６を、載置台１２の前面に設けた電源コンセント１３に差し込むことにより、複数の電子機器２３を効率よく充電しつつ収容することができ、複数の電子機器２３の配線コードの絡まりを防止し、第２収容空間２２から引き出した配線コード２５が、他の電子機器２３の出入れの邪魔にならず、電子機器２３を交換する手間を軽減させることができる。
【００４５】
また、長い配線コード２５の大部分を第２収容空間２２へ収容するので、電子機器収容台Ｂの見栄えを向上させることもできる。
【００４６】
さらに、各仕切部材１４を、載置台１２の上面に着脱可能として装着してあるので、載置台１２上の一部または全部の仕切部材１４を取り外して、そこに、第１収容空間２１内に収容しきれない大型の電子機器や、電子機器以外のものを収容することもできる。
【００４７】
電子機器収容台Ｂを備えるキャビネットＡによると、キャビネット内に、多数の電子機器を、充電しつつ、整然と見栄えよく収容することができる。
【００４８】
しかも、電子機器収容台Ｂは、キャビネットＡ内の棚板６上に載置して使用するだけでなく、テーブルや、キャビネットの天板上に載置して使用することもできる。
【００４９】
また、本発明の電子機器収容台Ｂは、上記実施形態に限定されるものではない。
例えば、仕切部材１４は、載置台１２にねじ止めして取り付けたり、またはその他の着脱手段により取り付けてもよい。
【００５０】
電源コンセント１３は、ＵＳＢ(ユニバーサル・シリアル・バス)ポート、電話回線用のコネクタ、携帯電話、デジタルオーディオプレーヤー等の携帯型の電子機器２７へ電源供給ポート等と置換可能であり、特許請求の範囲における「電源コンセント」は、これらを総称したものである。
【符号の説明】
【００５１】
Ａ  キャビネット
Ｂ  電子機器収容台
１  キャビネット本体
２  天板
３  底板
４  側板
４ａ、４ｂ  補強部
５  後面板
６  棚板
７  係止孔
８  係止金具
９  配線ダクト
１０  閉塞部材
１１  扉
１２  載置台
１２ａ後向突条
１２ｂ底板
１３  電源コンセント
１４  仕切部材
１５、１６  仕切板
１７  底板
１８  係合片
１９  下向突片
２０  係合孔
２１  第１収容空間
２２  第２収容空間
２３  電子機器
２４  ＡＣアダプタ
２５  配線コード
２６  電源プラグ
２７  電源コード
２８  空間
【図１】
0005662199.tif 000002
【図２】
0005662199.tif 000003
【図３】
0005662199.tif 000004
【図４】
0005662199.tif 000005